(57)【特許請求の範囲】
【請求項１】
車室内における表示装置において、
エアコンアウトレットの多数のフィンのそれぞれに発光部材を取り付け、
各発光部材をオンあるいはオフして車載機器の状態をエアコンアウトレットで表示する、ことを特徴とする車室内における表示装置。
【発明の詳細な説明】
【０００１】
【発明の属する技術分野】
本発明は車室内における表示装置に係わり、特に、車載機器の状態をエアコンアウトレットで表示する表示装置に関する。
【０００２】
【従来の技術】
自動車のダッシュボードには車載用オーディオ機器の操作パネルが設けられ、その表示装置は、ラジオモードであれば、受信放送局名、受信バンド（AM/FMの別)、受信周波数等を表示し、ディスクモードであればＣＤあるいはＭＤにおける演奏曲の曲番、演奏時間、音楽タイトル名等を表示するようになっている。又、ダッシュボードにはエアコン用操作部が設けられ、その表示装置は、エアコン設定温度、風向き、風量等を表示するようになっている。更に、ダッシュボードには各種警報を表示する表示部が設けられ、ガス欠、補助ブレーキ作動中、シートベルト非着用などの警報を表示するようになっている。
【０００３】
【発明が解決しようとする課題】
以上のように、従来は、空間的に限られたダッシュボード内に種々の表示装置を設けて各種情報を表示している。又、最近はナビゲーション装置が装備される場合が多くなり、ますます表示装置に対する空間的制約が強まっている。このため、表示装置は小型化されたり、重要でないものは端の方に追いやられて見ずらくなる問題がある。
ところで、ダッシュボードDSB中央部の上方には図９に示すようにエアコン用のアウトレット（風吹き出し口）ACOTLがあり、ここよりエアコンの暖気あるいは冷気が車室内に吹き出し、運転席DRS、助手席の乗車員の顔に吹き付ける。このエアコンアウトレットACOTLの取り付け位置は、視認性に関して場所的に車室内において一等地である。したがって、このエアコンアウトレットに情報の表示ができれば、視認性に優れた表示が可能となり、一般ドライバから年寄りのドライバまで表示を確認しやすくできる。しかも、他の表示装置の設置場所に関する制約を軽減でき、個々の表示装置を大きく、かつ、個々の表示装置を中央寄りの見やすい位置に配設することができる。
以上から本発明の目的は、エアコンアウトレットに情報の表示ができる表示装置を提供することである。
【０００４】
【課題を解決するための手段】
本発明の表示装置は、エアコンアウトレットの各フィンに発光部材を取り付け、各発光部材をオンあるいはオフして車載機器の状態をエアコンアウトレットで表示する。このようにすれば、エアコンアウトレットに車載機器の状態を表示することができ、視認性に優れた表示が可能となり、しかも、他の表示装置の設置場所に関する制約を軽減でき、個々の表示装置を大きく、かつ、個々の表示装置を中央寄りの見やすい位置に配設することができる。
【０００５】
【発明の実施の形態】
図１は本発明の操作パネルおよびエアコンアウトレットの正面図であり、上方部はエアコンアウトレットACOTL、下方部は操作パネルOPPである。
操作パネルOPPにおいて、１１は音楽ソースをラジオモードにすると共にAM/FMを交互に選択するAM/FMキー、１２は音楽ソースをディスクモードにすると共にCD/AUXを交互に選択するCD/AUXキー、１３は音声/映像をNAVI/VCRモードにすると共にNAVI/VCRの切り替えを行なうNAV/VCRキー、１４は２画面地図表示の時どちらをアクティブにするかを選択すると共に交互に右画面/左画面の選択を行なうSCALE/MODEキー、１５は地図縮尺を現在のものより一つ広域にするSCALE UPキー、１６は地図縮尺を現在のものより一つ詳細にするSCALE DOWNキーである。
【０００６】
１７は音楽ソースを衛星ラジオモードにするS.RADIOキー、１８はTEL画面表示にするTELキー、１９はNAV&TV画面からAUDIO専用画面に切り替えるSCREENキー、２０はSEEK/TUNE/TRACK/DISC UPを行なうSEEK UPキー、２１はSEEK/TUNE/TRACK/DISC DOWNを行なうSEEK DOWNキーである。２２ａ〜２２ｆはファンクションキー(F1〜F6)であり、スクリーンSCRに表示されている画面に応じた所定の機能選択を行なうもので、たとえば、現在聞いているAUDIOのダイレクトプリセットアクセス等に使用する。２３は地図をスクロールする MAP SCRLキー、２４は  NAVI時にメニュー呼び出し/戻しを行なうMENUキー、２５はNAV時に自車位置(現在地)画面に戻すMAP GUIDEキー、２６は回転によりVOL調整すると共にチョン押しによりTRE（トレブル）／BAS（バス）/BAL（バランス）/FAD（フェダー）をトグル形式で切り替える回転ノブ（外周)、２７はメニュー選択する８方向ジョイスティックキー(内側)である。２８はディスクローディングキー、２９はディスク排出キー、３０はディスク挿入／排出口である。
【０００７】
又、３１ａはエアコン温度を設定する運転席側の回転ノブ、３１ｂは自動エアコンのオン／オフ切替ボタン、３１ｃは運転席側のエアコン表示部、３２ａはエアコン温度を設定する助手席側の回転ノブ、３２ｂはDUAL/一括 切替ボタン、３２ｃは助手席側のエアコン表示部、３３エアコンの内気循環を指示する内気循環選択キー、３４はエアコンの外気取り込みを指示する外気取り込みキー、３５はフロントデフのオン／オフを指示するフロントデフキー、３６はリアデフのオン／オフを指示するリアデフキーである。
【０００８】
エアコンアウトレットACOTLにおいて、５１ａ〜５１ｉは水平方向に延びるエアコンのアウトレットフィン、５２ａ〜５２ｄは風向き調整つまみ、５３はハザードキーである。アウトレットフィン５１ａ〜５１iの先端部には、図２（ａ）又は図２（ｂ）に示すようにLEDを埋め込んで形成された発光部61i(i=1,2,...)、71i-j(ｉ=1,2,..、j=1,2,...)が設けられている。図２（ａ）はエアコンの風量を表示する場合のアウトレット表示装置の例であり、バー状の発光部61i(i=1,2,...)がフィン先端に埋め込まれてアウトレット表示装置を形成している。図２（ｂ）は文字により受信放送局や各種警報等を表示するアウトレット表示装置の例であり、１文字につき６×６のドット、６文字分をフィン先端に埋め込んでアウトレット表示装置を形成している。すなわち、エアコンアウトレットのフィンは複数本（＝ｎ）水平方向に並設しているから、各フィンを表示装置の水平ラインと見なし、発光部材を各フィンにＮ文字分（＝Ｎ×ｍ）取り付けることにより１文字につきｎ×ｍ個のドットでＮ文字分表示できるようにしてアウトレット表示装置を形成している。
【０００９】
図３は図２（ａ）のアウトレット表示装置による風量表示の例であり、（ａ）は風量がやや弱、（ｂ）は風量が普通、（ｃ）は風量が強の表示例であり、風量が強くなる程、点燈バーの数を増加して風量を表示する。図４は図２（ｂ）のアウトレット表示装置による受信放送局表示例であり、「FM TOKYO」がスクロール表示される例である。
図５は図２（ａ）のアウトレット表示装置におけるフィン先端の発光部の説明図であり、（ａ）はフィン先端の一部正面図、（ｂ）はAA′断面図である。フィン５１ａ先端部にバー状の切欠きを設け、LED 621を実装した基板622を該切欠きの底部に置き、半透明部材623で切欠きを埋め込んだ構成を有している。 LED 621を発光すると光が半透明部材623から矢印で示す方向に放射する。図６は図２ （ｂ）のアウトレット表示装置におけるフィン先端の発光部の説明図であり、 （ａ）はフィン先端の一部正面図、（ｂ）はAA′断面図である。フィン５１ａ先端部にドット状の切欠きを多数設け、各切欠きの底部にLED 71i-jを置き、半透明部材72i-jで各切欠きを埋め込んだ構成を有している。
【００１０】
図７は車載機器制御システムの全体の構成図である。101はAM/FMチューナ(ラジオ)、102はCDプレーヤ、103はMDプレーヤ、104は各オーディオソースからの音声を選択するセレクタ、105はオーディオ回路、106はスピーカである。又、111はエアコン、112はガソリン残量計、113は補助ブレーキ作動検出部、114は操作部、115はアウトレット表示部で、たとえば図２(a)に示す風量表示を行なうアウトレット表示部、116はアウトレット表示部を構成するLEDを駆動するLED駆動部、117は全体を制御すると共に、アウトレット表示部の表示制御を行なう制御部(CPU),118はバス線である。
【００１１】
図８は風量表示制御の処理フローである。
制御部117は、操作部114により新たなエアコン温度が設定されたかチェックし（ステージ201)、設定されれば車室内温度と新設定温度に基づいて風量を決定し、エアコン111に通知すると共にLED駆動部116に風量に応じた表示を行なうよう指示する(ステージ202)。エアコン111は、制御部からの指示にしたがって風量を制御して車室内温度が設定温度になるように動作する(ステージ203)。又、LED駆動部116は風量表示指令に基づいてアウトレット表示部105を構成する各LED素子をオン/オフして現在の風量に応じた表示を行なう(図３参照、ステージ204)。ついで、車室内温度と新設定温度を比較し(ステージ205)、一致してなければステージ202移行の処理を繰り返す。これにより、以後、車室内温度が設定温度に接近し、接近するにつれて風量が弱くなり、表示バー数が少なくなる。
以上では、フィン先端にLEDよりなる発光部を設けたが、エレクトロルミネッセンス等他の表示素子を用いて発光部を構成することができる。
以上、本発明を実施例により説明したが、本発明は請求の範囲に記載した本発明の主旨に従い種々の変形が可能であり、本発明はこれらを排除するものではない。
【００１２】
【発明の効果】
以上本発明によれば、エアコンアウトレットの各フィンに発光部材を取り付け、各発光部材をオンあるいはオフして車載機器の状態をエアコンアウトレットで表示するようにしたから、エアコンアウトレットに車載機器の状態を表示することができ、視認性に優れた表示が可能となり、しかも、各表示装置の設置場所に関する制約を軽減でき、個々の表示装置を大きく、かつ、個々の表示装置を中央寄りの見やすい位置に配設することができる。
【図面の簡単な説明】
【図１】操作パネルおよびエアコンアウトレットの正面図である。
【図２】アウトレット表示装置の説明図である。
【図３】風量表示例である。
【図４】受信局表示例である。
【図５】フィン先端の発光部の説明図である。
【図６】フィン先端の発光部の別の説明図である。
【図７】車載機器制御システムの構成図である。
【図８】風量表示制御の処理フローである。
【図９】エアコンアウトレットの位置説明図である。
【符号の説明】
ACOTL・・エアコンアウトレット
５１ａ〜５１ｈ・・フィン
５２ａ〜５２ｄ・・風向き調整つまみ
61i(i=1,2,...)・・発光部
71・・発光部
【図１】
0003946946.tif 000002
【図２】
0003946946.tif 000003
【図３】
0003946946.tif 000004
【図４】
0003946946.tif 000005
【図５】
0003946946.tif 000006
【図６】
0003946946.tif 000007
【図７】
0003946946.tif 000008
【図８】
0003946946.tif 000009
【図９】
0003946946.tif 000010